(57)【要約】【課題】浸水害などにより電気転てつ機が故障した場合に早期の復旧を図ることのできる電気転てつ機の補修ユニット及び補修方法を提供することを目的とする。【解決手段】電気転てつ機の配線端子盤と係合して配線端子盤の複数の端子と電気的に接続されるアダプタ部（１０）と、電気転てつ機の電動機を制御する制御リレー器（３０）が取り付けられ、アダプタ部と配線接続された第１ジャック板（２０）と、電気転てつ機の鎖錠カンの動きに応じて接点を切り替える回路制御器（５０）が取り付けられ、アダプタ部と配線接続された第２ジャック板（４０）と、第１ジャック板又は第２ジャック板に接続され、電動機に電源を供給する電源配線（７０）と、を備えた補修ユニット（１）並びにこれを用いた補修方法を採用する。【選択図】図２
2018058572.tif 000002
【特許請求の範囲】
【請求項１】
線路の分岐器を動かす動作カンと、動作カンを鎖錠するための鎖錠カンと、動作カンの動力を発生する電動機と、前記電動機の駆動制御及び前記鎖錠カンの位置検出を行う電気回路部と、外部ケーブルの複数の配線と前記電気回路部に接続される複数の内部配線とが接続されて制御信号及び電源を中継する配線端子盤とを備えた電気転てつ機を対象とする補修ユニットであって、
前記配線端子盤と係合して前記配線端子盤の複数の端子と電気的に接続されるアダプタ部と、
前記電動機を制御する制御リレー器が取り付けられ、前記アダプタ部と配線接続された第１ジャック板と、
前記鎖錠カンの動きに応じて接点を切り替える回路制御器が取り付けられ、前記アダプタ部と配線接続された第２ジャック板と、
前記第１ジャック板又は前記第２ジャック板に接続され、前記電動機に電源を供給する電源配線と、
を備えていることを特徴とする電気転てつ機の補修ユニット。
【請求項２】
前記アダプタ部は、前記配線端子盤の前記複数の端子に対応する複数のコネクタ部を有し、
前記複数のコネクタ部は、前記配線端子盤の複数の端子である複数のネジの先端部をそれぞれ挿入可能な複数の挿入孔と、前記複数の挿入孔の中にそれぞれ設けられた複数の電極とを有し、
前記アダプタ部が前記配線端子盤の上に重なった状態で、前記複数のネジの先端部が前記複数の挿入孔に挿入され且つ前記複数の電極と接触して、前記アダプタ部と前記配線端子盤とが電気的に接続され、
前記アダプタ部の上部には、前記複数の電極にそれぞれ通じる複数の挿通孔がさらに設けられていることを特徴とする請求項１記載の電気転てつ機の補修ユニット。
【請求項３】
前記第１ジャック板と前記第２ジャック板との何れか一方又は両方の上面に、両者を識別する識別標章が設けられていることを特徴とする請求項１又は請求項２に記載の電気転てつ機の補修ユニット。
【請求項４】
請求項１記載の補修ユニットを用いて前記電気転てつ機を補修する補修方法であって、
前記電気回路部を前記電気転てつ機の筐体から取り外す工程と、
前記配線端子盤と前記電気回路部とを電気的に接続している複数の配線を途中で切断或いは端で前記電気回路部から分断する工程と、
切断又は分断した前記複数の配線のうち前記配線端子盤から延びている複数の配線の端部を絶縁処理する工程と、
前記アダプタ部を前記配線端子盤に係合させる工程と、
前記第１ジャック板及び前記第２ジャック板を前記電気転てつ機の筐体内に固定する工程と、
前記第１ジャック板及び前記第２ジャック板に前記制御リレー器及び前記回路制御器を取り付ける工程と、
を含むことを特徴とする電気転てつ機の補修方法。
【請求項５】
前記アダプタ部を前記配線端子盤に係合させる工程は、前記複数の電極を構成する複数の端子ネジを回して、前記端子ネジの雌ネジの部分を前記配線端子盤の複数のネジの先端部に螺合させて固定する工程を含むことを特徴とする請求項４記載の電気転てつ機の補修方法。
【発明の詳細な説明】
【技術分野】
【０００１】
本発明は、浸水害などにより障害が発生した電気転てつ機を補修するための電気転てつ機の補修ユニット及び補修方法に関する。
【背景技術】
【０００２】
鉄道の線路を分岐させ、列車の進路を選択する機構として分岐器がある。転てつ機は、分岐器の近傍に配置されて分岐器のトングレールを転換させる装置である。近年の鉄道の分野では、電気により動作する電気転てつ機が多く利用されている。
電気転てつ機は、通常、分岐器のトングレールを動かす動作カンと、動作カンを駆動する電動機と、列車の通過中などに動作カンが動かないように鎖錠する鎖錠カンとを備えている。電気転てつ機は、外部ケーブルを介して制御信号を受信及び送信して遠隔操作され、外部ケーブルを介して電源が供給される。
【０００３】
従来、電気転てつ機に生じえる幾つかの障害に備えるための技術が提案されている。例えば、特許文献１には、浸水検知センサを備えた電気転てつ機が示されている。また、特許文献２には、雷害対策を施した電気転てつ機が示されている。
【先行技術文献】
【特許文献】
【０００４】
【特許文献１】特開２００９−１９９０８号公報
【特許文献２】特開２０１１−１６４１３号公報
【発明の概要】
【発明が解決しようとする課題】
【０００５】
近年、大雨等の異常気象の影響によって鉄道の分岐点が冠水することがあり、このような場合に電気転てつ機に水が浸入して、電気転てつ機が故障するということがあった。公共交通機関においては障害発生時に速やかな復旧が望まれる。
従来、電気転てつ機が故障した場合、電気転てつ機を全交換して復旧するのが通常である。しかしながら、電気転てつ機は、重く大きな装置であるため、交換には時間と手間がかかり、通常、早期の復旧は難しかった。
【０００６】
本発明者らは、電気転てつ機が浸水害により故障した場合に、故障した部品とその周辺のみを交換して早期の復旧ができないか検討を行った。検討の結果、冠水により故障しやすい箇所は電気回路の基板部分にあることが判明した。このため、基板及び基板周辺を交換すれば、電気転てつ機を早期に復旧できるのではないかと考えた。
しかしながら、電気転てつ機においては、外部ケーブルを介して多数の配線が内部回路に接続されている。このため、基板を交換するには、外部ケーブルの多数の配線或いは内部配線を再接続し直すことが必要であった。現場で多数の配線を接続する作業は、非常に煩雑であり、正確な処理が難しいと考えられた。
【０００７】
さらに、検討を進めると、冠水等で回路の基板部分が故障する場合でも、特定の基板が主に故障し、別の基板は故障しにくいことが判明した。具体的には、制御リレー器と回路制御器とが上面に取り付けられるジャック板が、転てつ機の筐体内の下方に配置されるため故障が生じやすい。一方、外部ケーブルの複数の配線が接続されて制御信号と電源とを中継する配線端子盤は、筐体内の上方に配置されるため、冠水等でも故障しにくい。
本発明者らは、公共交通機関の障害発生時に要求される事項を念頭に、上記判明した事項を総合的に考慮して本発明に至った。
【０００８】
本発明は、浸水害などにより電気転てつ機が故障した場合に早期の復旧を図ることのできる電気転てつ機の補修ユニット及び補修方法を提供することを目的とする。
【課題を解決するための手段】
【０００９】
本発明は、上記目的を達成するため、
線路の分岐器を動かす動作カンと、動作カンを鎖錠するための鎖錠カンと、動作カンの動力を発生する電動機と、前記電動機の駆動制御及び前記鎖錠カンの位置検出を行う電気回路部と、外部ケーブルの複数の配線と前記電気回路部に接続される複数の内部配線とが接続されて制御信号及び電源を中継する配線端子盤とを備えた電気転てつ機を対象とする補修ユニットであって、
前記配線端子盤と係合して前記配線端子盤の複数の端子と電気的に接続されるアダプタ部と、
前記電動機を制御する制御リレー器が取り付けられ、前記アダプタ部と配線接続された第１ジャック板と、
前記鎖錠カンの動きに応じて接点を切り替える回路制御器が取り付けられ、前記アダプタ部と配線接続された第２ジャック板と、
前記第１ジャック板又は前記第２ジャック板に接続され、前記電動機に電源を供給する電源配線と、
を備えていることを特徴としている。
【００１０】
このような構成によれば、故障した電気転てつ機から電気回路部を除去し、補修ユニットを取り付けることで、電気転てつ機を復旧することができる。浸水害により電気転てつ機が故障する場合、筐体内の上方に配置される配線端子盤には異常が生じず、筐体内の下方に配置される電気回路部の基板に異常が生じることが多いと判明している。そこで、このような場合に対応して、正常であると想定される配線端子盤を利用しつつ、異常が生じていると想定される電気回路部を除去して、電気転てつ機の早期の復旧が可能となる。
加えて、上記の補修ユニットにおいては、アダプタ部と第１ジャック板及び第２ジャック板とは配線により接続済みである。そして、復旧作業員がアダプタ部を配線端子盤に係合させることで、外部ケーブルの多数の配線と、第１ジャック板及び第２ジャック板に設けられた複数の配線とを、まとめて接続することができる。よって、外部ケーブルに含まれる多数の配線或いは多数の内部配線を現場で一つずつ接続し直すという作業が不要となり、簡単な作業で電気転てつ機を復旧することができる。さらに、配線ミスなどの間違いが生じ難い。
【００１１】
また、本発明は、故障した部品を交換して電気転てつ機を元通りに復旧するという通常の復旧思想から飛躍し、一時的であっても故障した電気転てつ機を応急的に復旧するという新規な復旧思想に基づいている。補修ユニットにより復旧された電気転てつ機は、元通りの構成とは異なり、係合により配線端子盤と電気的に接続されるアダプタ部を含む。よって、これを完全な復旧と見なすことは難しい。しかしながら、故障した電気転てつ機が交換されるまで線路の使用ができないと、交通の停止により社会活動への大きな影響が懸念される。そこで、一時的な復旧でもよいという思想に基づき、補修ユニットによって応急的に電気転てつ機を復旧することで、速やかに線路の使用が可能となり、その後、電気転てつ機の交換によって完全復旧とすることで、交通の停止を最小限に抑えて故障した電気転てつ機を完全復旧できる。よって、本発明に係る補修ユニットは非常に有用である。
【００１２】
望ましくは、前記アダプタ部は、前記配線端子盤の前記複数の端子に対応する複数のコネクタ部を有し、
前記複数のコネクタ部は、前記配線端子盤の複数の端子である複数のネジの先端部をそれぞれ挿入可能な複数の挿入孔と、前記複数の挿入孔の中にそれぞれ設けられた複数の電極とを有し、
前記アダプタ部が前記配線端子盤の上に重なった状態で、前記複数のネジの先端部が前記複数の挿入孔に挿入され且つ前記複数の電極と接触して、前記アダプタ部と前記配線端子盤とが電気的に接続され、
前記アダプタ部の上部には、前記複数の電極にそれぞれ通じる複数の挿通孔がさらに設けられてもよい。
【００１３】
このような構成によれば、アダプタ部の電極が挿入孔の中に配置されるので、アダプタ部と配線端子盤との電気的な接続を、容易に且つ安全に行うことができる。さらに、アダプタ部の上部の挿通孔からテスタのプローブ等を入れて電圧測定等により正常な接続の確認を行うことができる。
【００１４】
さらに、望ましくは、前記第１ジャック板と前記第２ジャック板との何れか一方又は両方の上面に、両者を識別する識別標章が設けられていてもよい。
第１ジャック板と第２ジャック板には、異なる機器（制御リレー器と回路制御器）が取り付けられるため、アダプタ部との配線接続のパターンが異なる。このため、第１ジャック板と第２ジャック板との取り違いが生じると、正常な復旧を行うことができない。そこで、上記構成のように、識別標章を設けて、このような取り違いを防ぐことで、容易で間違いの少ない復旧作業を行うことができる。
【００１５】
また、本発明は、上記目的を達成するため、
補修ユニットを用いて前記電気転てつ機を補修する補修方法であって、
前記電気回路部を前記電気転てつ機の筐体から取り外す工程と、
前記配線端子盤と前記電気回路部とを電気的に接続している複数の配線を途中で切断或いは端で前記電気回路部から分断する工程と、
切断又は分断した前記複数の配線のうち前記配線端子盤から延びている複数の配線の端部を絶縁処理する工程と、
前記アダプタ部を前記配線端子盤に係合させる工程と、
前記第１ジャック板及び前記第２ジャック板を前記電気転てつ機の筐体内に固定する工程と、
前記第１ジャック板及び前記第２ジャック板に前記制御リレー器及び前記回路制御器を取り付ける工程と、
を含むことを特徴としている。
このような方法によれば、浸水害等により故障した電気転てつ機を、補修ユニットを用いて容易な作業により復旧することができる。
【００１６】
ここで、前記アダプタ部を前記配線端子盤に係合させる工程は、前記複数の電極を構成する複数の端子ネジを回して、前記端子ネジの雌ネジの部分を前記配線端子盤の複数のネジの先端部に螺合させて固定する工程を含んでいてもよい。
このような方法によれば、容易な作業により、応急的に且つより確実にアダプタ部を固定することができる。
【発明の効果】
【００１７】
本発明によれば、浸水害などにより電気転てつ機が故障した場合に早期の復旧を図ることのできる電気転てつ機の補修ユニット及び補修方法を提供できる。
【図面の簡単な説明】
【００１８】
【図１】復旧対象の電気転てつ機を示す平面図である。
【図２】本発明の実施形態の電気転てつ機の補修ユニットを示す平面図である。
【図３】電気転てつ機の配線端子盤を示すもので、（Ａ）は平面図、（Ｂ）は側面図である。
【図４】実施形態のアダプタ部を示す分解斜視図である。
【図５】実施形態のアダプタ部を配線端子盤に取り付けた状態を示すもので、（Ａ）は平面図、（Ｂ）はＡ−Ａ線断面図、（Ｃ）はＢ−Ｂ線断面図である。
【図６】電気転てつ機の復旧工程を説明するもので、（Ａ）は第１工程の説明図、（Ｂ）は第２工程の説明図である。
【図７】電気転てつ機の復旧工程を説明するもので、（Ａ）は第３工程の説明図、（Ｂ）は第４工程の説明図である。
【図８】電気転てつ機の復旧工程を説明するもので、（Ａ）は第５工程の説明図、（Ｂ）は第６工程の説明図である。
【図９】補修アダプタにより復旧された電気転てつ機の回路構成を示す図である。
【図１０】変形例のアダプタ部を示す分解斜視図である。
【図１１】変形例のアダプタ部を配線端子盤に取り付ける工程を示す部分断面図であり、（Ａ）〜（Ｃ）はその第１段階から第３段階をそれぞれ示す。
【発明を実施するための形態】
【００１９】
以下、本発明の実施の形態について図面を参照して詳細に説明する。
図１は、本発明の実施形態の電気転てつ機の補修ユニットである。図１では、電気転てつ機の筐体１０５から上蓋を取り外した状態を示している。
先ず、復旧対象の電気転てつ機１００について説明する。
電気転てつ機１００は、鉄道線路の分岐器のトングレールを動かす動作カン１１０と、動作カン１１０を鎖錠するための鎖錠カン１２０と、外部ケーブルが導入されるケーブル導入部１５１、１５２と、内部回路等を収用する筐体１０５とを備えている。
【００２０】
筐体１０５の内部には、動作カン１１０を駆動する電動機１３０と、電動機１３０の動力を動作カン１１０へ伝達する伝達機構１４０と、外部ケーブルの配線が接続される配線端子盤１６０と、制御リレー器１７１及びそのジャック板１７２と、回路制御器１７３及びそのジャック板１７４と、動作試験用の押しボタン１７５と、電動機１３０の端子が設けられた端子台１７６とが設けられている。制御リレー器１７１、回路制御器１７３、及びジャック板１７２、１７４が電気回路部を構成する。
【００２１】
制御リレー器１７１は、内部に複数のリレーを有し、電動機１３０を駆動制御する。ジャック板１７２は、制御リレー器１７１が着脱可能に取り付けられる基板である。ジャック板１７２は、複数の配線を介して配線端子盤１６０と他方のジャック板１７４と接続されている。また、ジャック板１７２は、電源配線と端子台１７６とを介して電動機１３０と電気的に接続されている。
回路制御器１７３は、鎖錠カン１２０のロック機構に連動するように設けられたレバー１２１の一部が挿入され、レバー１２１の位置に応じて複数の接点を切り替えて鎖錠カン１２０の位置を検出する。ジャック板１７４は、回路制御器１７３が着脱可能に取り付けられる基板である。ジャック板１７４は、複数の配線を介して配線端子盤１６０と制御リレー器１７１のジャック板１７２と電気的に接続されている。
【００２２】
図２は、本発明の実施形態の電気転てつ機の補修ユニットを示す平面図である。続いて、図１の構成要素を参照しつつ、図２を用いて補修ユニット１について説明する。
本実施形態の電気転てつ機の補修ユニット１は、アダプタ部１０、第１ジャック板２０、第１ジャック板２０に取り付けられる制御リレー器３０、第２ジャック板４０、第２ジャック板４０に取り付けられる回路制御器５０、押しボタンセット６０、電動機１３０に電源を出力する電源配線７０を備えている。
アダプタ部１０は、電気転てつ機１００の配線端子盤１６０と係合されて配線端子盤１６０の各端子と複数の配線とを電気的に接続する連結機器である。アダプタ部１０は、複数の配線を介して第１ジャック板２０、第２ジャック板４０、押しボタンセット６０と接続されている。アダプタ部１０の詳細な構造については後述する。
【００２３】
制御リレー器３０は、内部に複数のリレーｒ１〜ｒ４（図９を参照）を有し、電気転てつ機１００の電動機１３０を駆動制御する。制御リレー器３０の底面部には、第１ジャック板２０への固定用及び電気的な接続用の複数の接続端子３１が設けられている。制御リレー器３０は、復旧対象の電気転てつ機１００に設けられている部品と同種のものである。
回路制御器５０は、電気転てつ機１００の鎖錠カン１２０のロック機構に連動するように設けられたレバー１２１の一部が挿入される挿入部５２と、レバー１２１の位置に応じて切り替わる複数の接点ｍ１〜ｍ８（図９を参照）とを有する。回路制御器５０の底面部には、第２ジャック板４０への固定用及び電気的な接続用の複数の接続端子５１が設けられている。回路制御器５０は、復旧対象の電気転てつ機１００に設けられている部品と同種のものである。
【００２４】
第１ジャック板２０は、制御リレー器３０が取り付けられる基板であり、制御リレー器３０の複数の接続端子３１が差し込まれる複数のスリーブ端子２１を備えている。また、第１ジャック板２０には、制御リレー器用であることを示す識別標章２２がシール等により設けられている。第１ジャック板２０は、複数の配線を介してアダプタ部１０及び第２ジャック板４０と電気的に接続されている。また、第１ジャック板２０には電源配線７０が接続されている。第１ジャック板２０は、識別標章２２を除いて、電気転てつ機１００に設けられている部品と同種のものである。
【００２５】
第２ジャック板４０は、回路制御器５０が取り付けられる基板であり、回路制御器５０の複数の接続端子５１がそれぞれ差し込まれる複数のスリーブ端子４１を備えている。また、第２ジャック板４０には、回路制御器用であることを示す識別標章４２がシールなどにより設けられている。第２ジャック板４０は、複数の配線を介してアダプタ部１０及び第１ジャック板２０と電気的に接続されている。第２ジャック板４０は、識別標章４２の部分を除いて、電気転てつ機に予め設けられている部品と同種のものである。
【００２６】
押しボタンセット６０は、電気転てつ機１００の動作試験用の押しボタン６１と、その取り付け板６２とを有する。押しボタン６１は、通常時は電気転てつ機１００の筐体１０５の内部に収容されて操作されないが、電気転てつ機１００の設置時或は点検時などに筐体１０５の上蓋を開放して操作される。
電源配線７０は、制御リレー器３０及び第１ジャック板２０を介して電気転てつ機１００の電動機１３０に電源を供給する。電源配線７０は、先端に丸型端子などの接続端子７１を備え、端子台１７６の端子ｔ１、ｔ２（図９を参照）に例えばボルトにより固定される。
【００２７】
＜配線端子盤及びアダプタ部の構造＞
続いて、電気転てつ機１００の配線端子盤１６０、及び、これに連結される補修ユニット１のアダプタ部１０の構造について詳細に説明する。
図３は、電気転てつ機の配線端子盤を示すもので、（Ａ）は平面図、（Ｂ）は側面図である。図４は、実施形態のアダプタ部を示す分解斜視図である。図５は、実施形態のアダプタ部を配線端子盤に取り付けた状態を示すもので、（Ａ）は平面図、（Ｂ）はＡ−Ａ線断面図、（Ｃ）はＢ−Ｂ線断面図である。なお、図４中、煩雑を避けるために多数の貫通孔の幾つかの符号は省略している。
【００２８】
配線端子盤１６０は、図３（Ａ）に示すように、上方から見て、一方向に長い長方形形状をしており、複数の内部配線と外部ケーブルの複数の配線とが接続され、これらの間で制御信号と電源とを中継する基板である。配線端子盤１６０は、図３（Ａ）、（Ｂ）に示すように、電気転てつ機１００の筐体１０５内に固定される台座１６３と、複数のボルト式端子１６２とを備えている。複数のボルト式端子１６２は、台座１６３の上部に複数の列で配置され、各ボルト式端子１６２からはボルトネジ１６１の先端が上方に突出している。複数のボルト式端子１６２には、図示を省略するが、外部ケーブルの複数の配線及びジャック板１７２、１７４等に接続される複数の内部配線とが接続されている。
【００２９】
補修ユニット１のアダプタ部１０は、配線端子盤１６０に重なるように係合される。そして、アダプタ部１０は、配線端子盤１６０の複数の端子とアダプタ部１０に接続された複数の配線とを、まとめて電気的に接続する。
アダプタ部１０は、図４に示すように、複数の貫通孔ｈ１、ｈ２、ｈ３、ｈ４が設けられた第１パネル１１、第２パネル１２、及び第３パネル１３と、第１パネル１１と第２パネル１２と間に固定される複数の端子板１４と、貫通孔ｈ２、ｈ３に配置される複数のスプリング１５及びフランジ付きのプランジャ１６と、配線端子盤１６０への固定用ネジ１７ａ、１７ｂとを備えている。なお、第１パネル１１は透明な部材から構成され、図５（Ａ）において第１パネル１１の下側の構成が見えている。
【００３０】
これらの構成のうち、貫通孔ｈ１〜ｈ３、端子板１４、スプリング１５、プランジャ１６が、本発明に係るコネクタ部の一例に相当する。また、端子板１４、スプリング１５、プランジャ１６がコネクタ部の電極の一例に相当し、下層の貫通孔ｈ３がボルトネジ１６１の先端が挿入可能な挿入孔、上層の貫通孔ｈ１が電極に通じる挿通孔に相当する。
【００３１】
第１パネル１１、第２パネル１２、及び第３パネル１３は、互いに重なった状態で例えばネジにより互いに固定される。複数の貫通孔ｈ１、ｈ２、ｈ３は、上方から見て、配線端子盤１６０のボルトネジ１６１の先端と、重なる位置に設けられている。
端子板１４は、第１パネル１１と第２パネル１２との間で、上層の貫通孔ｈ１と中層の貫通孔ｈ２との間を塞ぐように固定されている。複数の端子板１４には、図５（Ａ）に示すように複数の配線の一端が電気的に接続されている。復旧作業員は、貫通孔ｈ１を介してテスタのプローブを差し込むことで、各端子板１４の電圧等を計測できるようになっている。
【００３２】
スプリング１５とプランジャ１６とは、中層の貫通孔ｈ２と下層の貫通孔ｈ３との中に配置される。中層の貫通孔ｈ２は、プランジャのスリーブを通す径を有し、下層の貫通孔ｈ３はプランジャ１６のスリーブを通さない径を有する。プランジャ１６は中層の貫通孔ｈ２の方へ移動可能に配置され、且つ、スプリング１５により下方に付勢されている。このような構成により、図５（Ｂ）に示すように、配線端子盤１６０のボルトネジ１６１の先端が下層の貫通孔ｈ３に下方から挿入されると、ボルトネジ１６１の先端とプランジャ１６とが接触して、プランジャ１６が貫通孔ｈ２、ｈ３の中で上方に変位する。このとき、スプリング１５がプランジャ１６をボルトネジ１６１の方へ付勢する。これにより、配線端子盤１６０のボルトネジ１６１、プランジャ１６、スプリング１５、及び端子板１４が導通し、アダプタ部１０の各配線と配線端子盤１６０の各端子とが導通する。
【００３３】
固定用ネジ１７ａ、１７ｂは、円筒の内側にネジが切られた雌ネジ（１７ｂ）と、これに螺合する雄ネジ（１７ａ）とからなる。雌ネジ（１７ｂ）は、配線端子盤１６０のボルトネジ１６１とも螺合し、図５（Ｂ）に示すように、下部がボルトネジ１６１と螺合し、上部が雄ネジ（１７ａ）と螺合することで、アダプタ部１０を配線端子盤１６０に固定することができる。
また、図５（Ａ）、（Ｃ）に示すように、アダプタ部１０と配線端子盤１６０とは、多くの端子が配置される部位において、さらに、結束バンド１８により結束されて互いに固定される。結束バンド１８は、例えば、アダプタ部１０と配線端子盤１６０の台座１６３とを囲うようにして、両者を結束すればよい。
【００３４】
図５（Ｂ）に示すように、アダプタ部１０が配線端子盤１６０に結束された状態で、アダプタ部１０は、電気転てつ機１００の筐体１０５内に収容され、上蓋１０２を閉めるときに、これを阻害しない。
【００３５】
＜補修方法＞
続いて、上記の補修ユニット１を用いた電気転てつ機１００の補修方法について説明する。
図６〜図８は、補修ユニット１を用いた電気転てつ機１００の復旧工程を説明する図である。図６（Ａ）〜図８（Ｂ）に、順に第１工程〜第６工程の説明図を示す。図６〜図８においては、電気転てつ機１００は簡略化し、複数の配線は１本に省略して描いている。
浸水害等により電気転てつ機１００が故障した場合、鉄道機関の係員は、交換する電気転てつ機の手配を行う一方、電気転てつ機を交換するまで電気転てつ機１００を一時的に使用可能とするため、補修ユニット１を用いて応急的な復旧を行う。
【００３６】
応急的な復旧工程では、先ず、復旧作業員は、故障した電気転てつ機１００の上蓋を開ける（図６（Ａ））。次いで、図６（Ｂ）に示すように、復旧作業員は、制御リレー器１７１と回路制御器１７３とをジャック板１７２、１７４から取り外し、さらにジャック板１７２、１７４と押しボタン１７５とを、筐体１０５から取り外す。続いて、復旧作業員は、これらと配線端子盤１６０とを電気的に接続している内部配線を途中で切断、或いは、端部でジャック板１７２、１７４から分断して、その先端の導電部を絶縁テープＦ等で養生して絶縁処理する。
【００３７】
続いて、図７（Ａ）に示すように、復旧作業員は、一端を絶縁処理した配線Ｈを筐体１０５内の空いているスペースにしまい込む。さらに、復旧作業員は、補修ユニット１を用意する。
補修ユニット１が用意されたら、図７（Ｂ）に示すように、復旧作業員は、アダプタ部１０を配線端子盤１６０に締結する。この締結により、配線端子盤１６０の複数のボルト式端子１６２がアダプタ部１０の複数の端子部（端子板１４、スプリング１５、プランジャ１６）と電気的に接続される。これにより、配線端子盤１６０に接続されている外部ケーブルの複数の配線Ｈ１と、アダプタ部１０の複数の配線Ｈ２とが、所定の対応関係で電気的に接続する。
【００３８】
アダプタ部１０を接続したら、図８（Ａ）に示すように、復旧作業員は、第１ジャック板２０と第２ジャック板４０とを筐体１０５に固定する。固定は、元のジャック板１７２、１７４が固定されていた箇所に行う。続いて、図８（Ｂ）に示すように、復旧作業員は、第１ジャック板２０に制御リレー器３０を取り付け、第２ジャック板４０に回路制御器５０を取り付ける。さらに、復旧作業員は、押しボタンセット６０を筐体１０５内に固定し、さらに電源配線７０を電動機１３０の所定の端子と電気的に接続されるように端子台１７６に固定する。
その後、復旧作業員は、テスタ等を用いてアダプタ部１０の所定の端子の電圧を計測したり、押しボタン６１を操作して動作試験を行ったりして、正常に動作することを確認したら、上蓋を閉めて応急的な復旧を完了する。
【００３９】
図９は、補修アダプタにより復旧された電気転てつ機の回路構成を示す図である。煩雑を避けるため、図９では、回路制御器５０とアダプタ部１０との間の幾つかの配線を省略して描いている。
補修ユニット１の接続が完了すると、配線端子盤１６０とアダプタ部１０との係合により各端子の電気的な接続Ｃ０が得られる。これにより、外部ケーブルの複数の配線Ｈ１と補修ユニット１の複数の配線Ｈ２とが所定の対応関係で電気的に接続される。従って、外部ケーブルを介して入出力される制御信号は、補修ユニット１の回路に入出力されることになる。また、外部ケーブルを介して供給される電源は、補修ユニット１の回路に供給されることになる。
【００４０】
さらに、補充ユニット１の電源配線７０は、電動機１３０の端子台１７６の所定の端子ｔ１、ｔ２に接続されるので、補修ユニット１の制御リレー器３０及び回路制御器５０の制御によって電動機１３０が駆動することになる。
従って、アダプタ部１０の係合による接続の他は、電気転てつ機１００の元の回路構成が得られ、これにより電気転てつ機１００は元通りに動作することが可能となる。
【００４１】
以上のように、本実施形態の補修ユニット１、及び、これを用いた補修方法によれば、故障した電気転てつ機１００から制御リレー器１７１、回路制御器１７３、ジャック板１７２、１７４等を除去する一方、補修ユニット１を取り付けることで、電気転てつ機１００を復旧することができる。浸水害により電気転てつ機１００が故障する場合、筐体１０５内の上方に配置される配線端子盤１６０には異常が生じず、筐体１０５内の下方に配置されるジャック板１７２、１７４に異常が生じることが多いと判明している。そこで、このような場合に対応して、正常であると想定される配線端子盤１６０を利用しつつ、異常が生じていると想定される制御リレー器１７１、回路制御器１７３、ジャック板１７２、１７４等を除去して、電気転てつ機１００の早期の復旧が可能となる。
【００４２】
また、本実施形態によれば、復旧作業員がアダプタ部１０を配線端子盤１６０に係合させることで、外部ケーブルの多数の配線と、第１ジャック板２０及び第２ジャック板４０に設けられた複数の配線とを、まとめて接続することができる。よって、外部ケーブルに含まれる多数の配線或いは多数の内部配線を現場で一つずつ接続し直すという作業が不要となり、簡単な作業で電気転てつ機を復旧することができる。さらに、配線ミスなどの間違いが生じ難い。
【００４３】
このように復旧された電気転てつ機１００は、係合により配線端子盤１６０と接続されるアダプタ部１０を含み、完全に元通りの構成に復旧したとは見なすことは難しい。しかしながら、補修ユニット１によって応急的に電気転てつ機を復旧し、その後に、電気転てつ機を交換して完全復旧とすることで、完全復旧前にも速やかな線路の使用が可能となる。従って、このような復旧方法により、交通の停止を最小限に抑えて故障した電気転てつ機を完全復旧できる。
【００４４】
以上、本発明の実施の形態について説明したが、本発明は上記の実施の形態に限られるものではない。例えば、上記実施形態では、アダプタ部１０と配線端子盤１６０との電気的な接続方式として、プランジャ１６をスプリング１５により配線端子盤１６０のボルトネジ１６１に圧接する方式を採用した。しかし、例えば、挟み込み端子によりボルトネジ１６１の先端を挟んで電気的に接続する方式を採用してもよいし、螺合によりボルトネジ１６１と電気的に接続する方式を採用してもよい。また、上記実施形態では、補修ユニット１を取り付ける際に、制御リレー器３０及び回路制御器５０も交換したが、元の制御リレー器１７１及び回路制御器１７３が正常に動作する場合には元の構成を流用してもよい。また、上記実施形態では、切断した内部配線の端部を絶縁テープＦで養生して絶縁処理する例を示したが、配線の端部を絶縁処理専用のチューブに通して絶縁処理するようにしてもよい。チューブは、ポリエチレン樹脂などの絶縁性を有する樹脂から構成し、チューブの一端は予め塞がれた構造とする。そして、切断した配線の端部をチューブに入れ、圧着スリーブ等を用いてチューブの上からチューブと配線とを圧着し、配線がチューブから抜けないようにしてもよい。その他、押しボタン６１の有無、電源配線７０の接続構造など、実施の形態で示した細部は、発明の趣旨を逸脱しない範囲で適宜変更可能である。
【００４５】
（変形例）
変形例の補修ユニットは、図２のアダプタ部１０の構造を変更したものであり、その他の構成要素は上述の実施形態と同様である。同様の構成要素については詳細な説明を省略する。
図１０は、変形例のアダプタ部を示す分解斜視図である。図１１は、変形例のアダプタ部を配線端子盤に取り付ける工程を示した部分断面図であり、（Ａ）〜（Ｃ）はその第１段階から第３段階をそれぞれ示す。なお、図１０においては煩雑を避けるために多数の貫通孔の幾つかについては符号を省略している。
【００４６】
変形例のアダプタ部１０Ａは、図１０に示すように、第１パネル１１Ａと、第２パネル１２Ａと、複数の端子板１４Ａと、複数の端子ネジ１６Ａ、１７Ａとを備える。
第１パネル１１Ａには、複数の端子ネジ１６Ａ、１７Ａの頭部が挿入される複数の貫通孔ｈ５ａ、ｈ５ｂが設けられている。第２パネル１２Ａには、複数の端子ネジ１６Ａ、１７Ａのネジ部を通す複数の貫通孔ｈ６が設けられている。複数の端子板１４Ａの各々には、端子ネジ１６Ａ又は端子ネジ１７Ａのネジ部を通す貫通孔ｈ７が設けられている。
【００４７】
これらの構成のうち、端子板１４Ａ、端子ネジ１６Ａ、１７Ａ及び貫通孔ｈ５ａ、ｈ５ｂ、ｈ６が、本発明に係るコネクタ部の一例に相当する。また、端子板１４Ａ及び端子ネジ１６Ａ、１７Ａがコネクタ部の電極の一例に相当し、貫通孔ｈ６がボルトネジ１６１の先端が挿入可能な挿入孔、貫通孔ｈ５ａ、ｈ５ｂが電極に通じる挿通孔に相当する。
【００４８】
端子ネジ１６Ａは、図１１（Ａ）にも示すように、下方にネジ部、上方に頭部を有し、ネジ部が雌ネジであり、頭部には工具の差し込み溝が設けられている。また、頭部の周囲にはネジが切られ、頭部の周囲にはナットａが螺合されている。端子ネジ１６Ａにおいて、頭部とネジ部との間にはフランジ部ｂが設けられ、ナットａとフランジ部ｂとの間に端子板１４Ａの貫通孔ｈ７が通される。ナットａと端子板１４Ａとの間には平座金ｃが配置されてもよい。端子ネジ１６Ａは、例えばアダプタ部１０Ａの四隅に配置される。
【００４９】
端子ネジ１７Ａは、図１１（Ｃ）にも示すように、下方にネジ部、上方に頭部を有し、ネジ部が雌ネジであり、頭部には工具の差し込み溝が設けられている。端子ネジ１７Ａにおいて、頭部とネジ部との間にはフランジ部ｅが設けられ、フランジ部ｅのネジ部側には皿バネ座金ｆが設けられる。なお、端子ネジ１７Ａは、頭部を有する雄ネジに、雌ネジが切られた筒体を螺合して構成してもよい。
【００５０】
複数の端子板１４Ａは、一部が第２パネル１２Ａの側部へ露出するように、また、各貫通孔ｈ７が第２パネル１２Ａの複数の貫通孔ｈ６と重なるように、第２パネル１２Ａの上面に固定される。第１パネル１１Ａは、端子板１４Ａを挟んで、複数の貫通孔ｈ５ａ、ｈ５ｂが第２パネル１２Ａの複数の貫通孔ｈ６と重なるように第２パネル１２Ａの上方に固定される。第１パネル１１Ａと第２パネル１２Ａとが互いに固定される際、端子ネジ１６Ａは、端子板１４Ａに係合された状態で貫通孔ｈ５ｂ、ｈ６内に収容される。また、端子ネジ１７Ａは、ネジ部が端子板１４Ａの貫通孔ｈ７に通された状態で、貫通孔ｈ５ａ、ｈ６内に収容される。貫通孔ｈ５ａの上端部は、端子ネジ１７Ａが通過できないように小径にされ、これにより端子ネジ１７Ａが貫通孔ｈ５ａから抜け出さないように保持される。
【００５１】
＜アダプタ部の固定方法＞
続いて、アダプタ部１０Ａの固定方法について説明する。アダプタ部１０Ａを配線端子盤１６０の上に配置したら、先ず、復旧作業員は、図１１（Ａ）に示すように、端子ネジ１６Ａをマイナスドライバー等の工具を用いて回すことで、そのネジ部（雌ネジ）を、配線端子盤１６０のボルトネジ１６１に螺合させる。ここで、適度な位置で端子ネジ１６Ａとボルトネジ１６１との螺合が止まるように、端子ネジ１６Ａのネジ部内にはストッパが設けられていてもよい。この螺号により、端子ネジ１６Ａがボルトネジ１６１に固定される。このような固定が、四隅の端子ネジ１６Ａについて行われる。
【００５２】
次に、復旧作業員は、図１１（Ｂ）に示すように、ボックススパナなどの工具を用いて、端子ネジ１６Ａのナットａを締める。そして、ナットａとフランジ部ｂとの間に平座金ｃと端子板１４Ａとが締め付けられることで、アダプタ部１０Ａの第１パネル１１Ａ及び第２パネル１２Ａが配線端子盤１６０に固定される。さらに、ボルトネジ１６１、端子ネジ１６Ａ及び端子板１４Ａが、互いに強固に接触し、これらが導通される。
【００５３】
続いて、復旧作業員は、図１１（Ｃ）に示すように、端子ネジ１７Ａを、プラスドライバなどの工具を用いて回すことで、そのネジ部（雌ネジ）を、配線端子盤１６０のボルトネジ１６１に螺合させる。端子ネジ１７Ａは、皿バネ座金ｆを押し付けるように締められ、これによりボルトネジ１６１、端子ネジ１７Ａ、皿バネ座金ｆ及び端子板１４Ａが互いに強固に接触し、これらが導通される。このような締付が、複数の端子ネジ１７Ａについて行われる。
【００５４】
このような作業により、アダプタ部１０Ａを配線端子盤１６０に固定し、且つ、ボルトネジ１６１と端子ネジ１６Ａ、１７Ａとを介して、配線端子盤１６０の複数の端子とアダプタ部１０Ａの複数の端子板１４Ａとをそれぞれ導通させることができる。変形例の補修ユニットによれば、アダプタ部１０Ａの固定と電気的な接続とを容易にかつ強固に行うことができ、例えば列車の通過による大きな振動が加えられても電気的な接続を維持することができる。
【符号の説明】
【００５５】
１  補修ユニット
１０、１０Ａ  アダプタ部
１４、１４Ａ  端子板
１５  スプリング
１６  プランジャ
１６Ａ、１７Ａ  端子ネジ
ｈ１〜ｈ３、ｈ５ａ、ｈ５ｂ、ｈ６  貫通孔
２０  第１ジャック板
３０  制御リレー器
４０  第２ジャック板
５０  回路制御器
６０  押しボタンセット
７０  電源配線
１００  電気転てつ機
１０５  筐体
１１０  動作カン
１２０  鎖錠カン
１２１  レバー
１３０  電動機
１４０  伝達機構
１５１、１５２  ケーブル導入部
１６０  配線端子盤
１６１  ボルトネジ
１７１  制御リレー器
１７３  回路制御器
１７２、１７４  ジャック板
１７５  押しボタン
【図１】
2018058572.tif 000003
【図２】
2018058572.tif 000004
【図３】
2018058572.tif 000005
【図４】
2018058572.tif 000006
【図５】
2018058572.tif 000007
【図６】
2018058572.tif 000008
【図７】
2018058572.tif 000009
【図８】
2018058572.tif 000010
【図９】
2018058572.tif 000011
【図１０】
2018058572.tif 000012
【図１１】
2018058572.tif 000013